(57)【要約】      （修正有）【課題】歌詞表示プログラムなどの実行可能なプログラムを表示して、その中からプログラムを選択できるようにする。歌詞入力でリピートボタンで入力したり、文章入力で参照する文章を入力ボタンに表示して、ボタン操作で入力できるようにする。【解決手段】音楽毎に実行可能なプログラムをスタートボタンで表示して、ボタン操作で音楽とプログラムを選択する。歌詞入力では、リピート部分の歌詞を専用のテキストフィールドに入力して文章の表示されたリピートボタンで入力する。また、参照する文章をボタンに表示するので、文章を読む感覚でボタン操作で文章を入力する。【選択図】図１
2014211504.tif 000002
【特許請求の範囲】
【請求項１】
歌詞ファイル作成プログラム、時間ファイル作成プログラム及び音楽と同期してパート毎に歌詞を表示する際にパート毎の歌詞に隣接してパート表示時間及びその累計時間、平均パート表示時間との比率を表示する同期歌詞表示プログラムを実行するための音楽との同期歌詞表示システム（以下「歌詞表示システム」という。）、歌詞表示システムで作成したデータを共用してメールファイル作成プログラム、パート毎の歌詞、文章及び表示時間を各々１行１データのテキスト形式で書き込まれたファイルをもとにして音楽と同期して歌詞と文章を同時に画面に表示する同期歌詞及び文章表示プログラム及び同期メール表示プログラムを実行するための音楽との同期文章表示システム（（以下「文章表示システム」という。）として、歌詞表示システム及び文章表示システム（以下「同期表示システム」という。）の各システムを起動すると、音楽ファイル名と実行するプログラムを行列形式でページ毎に更新して表示する画面に、音楽ファイルの保存されたフォルダを検索して保存されている音楽ファイル毎に、当該音楽に係る歌詞ファイル、時間ファイル又はメールファイルが各々保存されるフォルダにおいて音楽ファイル名をもとにした照合データによりファイルの存在を照合してファイル毎の存在データ（以下「ファイル存在データ」という。）を作成するとともに、音楽毎にファイル存在データをもとに実行できるプログラムをスタートボタンでページ毎に表示して、スタートボタンでの入力により、入力されたスタートボタンの配置された行とページをもとに音楽ファイルを、入力されたスタートボタンの列に表示されるプログラムを各々指定してプログラムを実行する同期表示システム
【請求項２】
請求項１の同期表示システムにおいて、歌詞ファイル作成プログラムの実行後に時間ファイル作成プログラム、時間ファイル作成プログラムの実行後に同期歌詞表示プログラム、メールファイル作成プログラムの実行後に同期歌詞及び文章表示プログラムを、それらの組み合わせのうち先に実行するプログラムで作成したデータをファイルに保存した後、当該ファイルを用いて、次に実行するプログラムを指定して、連続してプログラムを実行する方法
【請求項３】
パート毎に歌詞を入力する場合に、電子機器の画面に２つのテキストフィールド（以下「入力用フィールド」という。）及びリピート用の記憶領域（以下「リピート領域」という。）に保存された各パートの文章をリピートして入力する複数のボタン（以下「リピートボタン」という。）を配置して、入力用フィールドの１つを入力した文章をファイルへの書き込み専用のデータにするテキストフィールド、１つを入力した文章をファイルへの書き込み用のデータにした上で、入力した文章をリピートボタンに順次、表示するとともにリピート領域への保存を行うテキストフィールドにするとともに、入力用フィールドへの文章の入力前に入力された場合は前奏のパート、入力用フィールドへの文章の入力後に入力された場合は間奏のパートとして設定を行う前奏・間奏ボタンを配置して、入力用フィールドでの文章入力、リピートボタンでの入力及び前奏・間奏ボタンでの入力の入力順に、前奏、間奏のパート設定データ及びパート毎の歌詞データとしてファイルに書き込む方法
【請求項４】
コンピュータの文章入力において、電子機器の画面に１行１データにした複数の参照用のテキストファイル（以下「参照ファイル」という。）を読み込み文章を表示する部分（以下「参照文章表示部」という。）を設け、参照文章表示部にページ毎に表示する文章の行数分の文章入力用のボタン（以下「文章入力ボタン」という。）を配置して、参照ファイルのうちの１番目に表示する参照ファイルの最初のデータからページ毎に画面を更新して文章入力ボタンの表示に順次文章を表示する場合に、２番目以降に表示される参照ファイルの最初のデータをページの先頭行の文章入力ボタンに表示にするために、参照ファイルのデータ数が文章入力ボタンの数の倍数になるように、行数を調整する空白データ（以下「行調整データ」という。）の行を参照ファイルの末尾に挿入して、参照ファイルのデータ及び行調整データを順次読み込んで統合した一連のデータ（以下「統合データ」という。）を作成して、統合データの各データをページに表示される行数分ずつ順次更新して各々の文章入力ボタンの表示とし、入力された文章入力ボタンのページと配置された行により統合データのうちの該当データを呼び出して入力用の文章データにする方法
【請求項５】
コンピュータで音楽のパート毎の歌詞又は文章を入力する場合に、電子機器の画面を３つに分けて、その中央に左右の画面の制御部、音楽再生部、入力対象の音楽パートの歌詞表示部、テキストフィールドでの文章の入力部、入力した文章の表示部及び文章保存部で構成する文章入力部（以下「メイン部」という。）を、メイン部の左右に一定のパート数（以下「表示パート数」という。）毎にパート毎の歌詞を更新して表示する部分（以下「歌詞表示部」という。）と、参照するテキストファイルを頭出しする複数のファイル選択ボタンを表示するファイル選択部、表示パート数分の請求項４の文章入力ボタン（以下「参照入力ボタン」という。）の表示部及びページ更新ボタンなどのページ表示部で構成する部分（以下「参照表示部」という。）を配置して、メイン部の歌詞表示部制御ボタンで歌詞表示部を非表示と表示に切り替えるとともにメイン部の参照表示部制御ボタンで参照表示部を表示と非表示に切り替えを行うことにより、文章入力の途中でメイン部と歌詞表示部、メイン部と参照表示部又はそれらすべての表示部での表示と切り替えて入力できるようにして、歌詞表示部の各パートの歌詞に隣接させてメイン部のテキストフィールドで入力した文章又は参照入力ボタンで入力した文章を順次表示するとともに、テキストフィールドで入力した文章と参照入力ボタンにより入力した文章を入力順に書き込み用のデータとする文章作成システム
【発明の詳細な説明】
【技術分野】
【０００１】
この発明は、音楽と歌詞や文章を同期して画面に表示するシステムに関する。
【背景技術】
【０００２】
従来の技術としては、パート毎の歌詞や表示時間をもとにして音楽と歌詞を同期して表示するものがある。（特許文献１）また、分割した受信メールの文章を同期して表示を行うパートを指定して音楽演奏と同期して表示する音楽付きメールシステム（特許文献２）や音楽の演奏時間を計測して同期表示データを作成する音楽との同期表示システム（特許文献３）がある。
【特許文献１】特開２００５−０７０４７２号公報
【特許文献２】ＷＯ２０１０−０４４２２０号公報
【特許文献３】特願２０１０−２１０２９３号公報
【発明の開示】
【発明が解決しようとする課題】
【０００３】
パート毎の歌詞データや時間データを作成して、作成したデータで音楽と同期して歌詞を表示するプログラムなどを実行するためのシステムと、それらのデータと文章データで音楽と同期して文章を表示するプログラムなどを実行するためのシステムを構築して、システムの起動後、音楽と実行可能なプログラムをスタートボタンで表示して、当該ボタンでプログラムを実行できるようにする。
【０００４】
音楽と同期して歌詞や歌詞以外の文章などを同じ画面に表示して、メールファイルの内容を確認したり、様々な文章を音楽と同期して表示して利用できるようにする。また、歌詞ファイル作成プログラムから時間ファイル作成プログラム、時間ファイル作成プログラムから同期歌詞表示プログラム、メールファイル作成プログラムから同期歌詞及び文章表示プログラムまではプログラムを連続して実行できるようにする。
【０００５】
歌詞の入力においては、歌詞はリピートされることが多いので、歌詞を入力する際に通常のテキストフィールドとは別にリピート入力用のテキストフィールドを配置するとともに、前奏・間奏ボタンで前奏と間奏のパートを設定できるようにする。
【０００６】
音楽と同期してメールなどの文章を表示する際に、前奏や間奏などの表示時間が長いパートではいつまでも次の文章が表示されないので、パート毎の歌詞とともにパート毎の表示時間などを表示して、音楽パートの設定に参照できるようにする。
【０００７】
パート毎の歌詞に対応する文章を入力する場合に、文章入力する部分を中心にして、パート毎の歌詞を表示する部分と参照用の文章をボタンで入力する部分をその左右に表示して、歌詞表示部分と参照用文章部分は入力の途中で表示したり、非表示にしたりできるようにする。
【０００８】
参照ファイルの文章を前頁ボタンや次頁ボタンとファイルの頭出しボタンで検索できるようにして、参照ファイルの文章をボタン名にした文章入力ボタンで入力できるようにして、テキストフィールド及びボタンの両方で文章を入力できるようにする。
【課題を解決するための手段】
【０００９】
歌詞ファイル作成、時間ファイル作成及び同期歌詞表示を行うプログラムを実行するための同期歌詞表示システム及びメールファイル作成、同期歌詞及び文章表示及び同期メール表示を行うプログラムを実行するための同期文章表示システムを構築して、システムの起動後、一定数の音楽毎にページを更新する画面に音楽ファイル名と実行プログラムを行列形式で表示する。
【００１０】
両システムで各ファイルを共用し、システムの起動後、音楽ファイルの保存フォルダを検索して保存された音楽に係る歌詞ファイル、時間ファイル又はメールファイルを各々のフォルダで音楽ファイル名等をもとに照合して音楽毎の各ファイルの有無をデータ化する。
【００１１】
各ファイルの有無データで実行可能なプログラムを探索してスタートボタンで表示し、入力されたボタンの表示行とページをもとに音楽ファイルを指定するとともに、ボタンと同じ列に表示されるプログラムを指定してプログラムを実行する。
【００１２】
１行１データのテキスト形式で書き込まれた音楽パート毎の歌詞又は歌詞に相当する文章と、他の文章をパート毎の表示時間をもとに、音楽と同期して歌詞及び文章を同時に画面に表示する。パート毎の歌詞と文章の内容を同じ画面に対比する形で表示する。
【００１３】
歌詞ファイル作成プログラムから時間ファイル作成プログラム、時間ファイル作成プログラムから同期歌詞表示プログラム、メールファイル作成プログラムから同期歌詞及び文章表示プログラムは、それぞれ作成したデータをファイルに保存した後、音楽ファイルと次に実行するプログラムを指定しプログラムを連続して実行する。
【００１４】
歌詞ファイル作成プログラムでパート毎の歌詞を入力する際に、画面に２つのテキストフィールドを設けて、うちの１つをリピートボタンにより入力する文章の入力用にするとともに、前奏や間奏の場合に入力する前奏・間奏ボタン、複数のリピートボタンを配置して４種類の方法で歌詞を入力するとともに入力順によりファイルへの書き込み用のデータにする。前奏・間奏ボタンはテキストフィールドでの入力の前後により前奏又は間奏のパートとして設定する。
【００１５】
文章を表示する際に、パートの表示時間を平準化するために同期歌詞表示プログラムでパート表示時間、平均表示時間などを各パートの歌詞に隣接して表示し、表示時間の長いパートを分割する際の参照用にする。
【００１６】
電子機器の画面を３つに分けて、中央に入力対象パートの歌詞を表示して、テキストフィールドでパート毎に文章を入力して入力した文章を表示する文章入力部を配置して、その左右に、複数のパート数の歌詞を更新して表示する歌詞表示部、当該パート数分の文章入力ボタンで参照用ファイルの文章をボタン入力する参照文章表示部を配置する。
【００１７】
文章入力部に歌詞表示部を非表示又は表示にするボタンと参照文章表示部を表示又は非表示にするボタンを配置して、画面の３つの表示部のうち、文章入力部以外を表示又は非表示に切り替える。歌詞表示部は文字の色を背景色にすることで画面を切り替え、参照用文章表示部は当該表示部を選択した場合のみ表示して、選択を中止した場合にはデータ自体を表示しない。
【００１８】
参照用文章表示部の次ページボタンと前ページボタン及びファイルの頭出しボタンでページ更新時にファイルの先頭から表示されるように、各ファイルのデータ数が文章入力ボタン数の倍数になるようにファイルの末尾に調整用の空白データの行を挿入して、文章データ及び行調整用のデータを読み込み一連の統合データを作成する。そして、文章入力ボタンの配置順とページによりデータを検索して参照ファイルの文章を入力する。
【００１９】
また、文章入力ボタンは、参照ファイルの表示されるパート数と同数を配置し、文章入力ボタンにはボタン番号を表示せず、ボタンに表示された文章部分の入力により文章を入力して、テキストフィールドでの入力と同様に入力後の文章を歌詞に隣接して表示し、テキストフィールドでの文章入力と文章入力ボタンにより入力した文章を入力順に書き込み用のデータとする。入力順にデータを書き込む。
【発明の効果】
【００２０】
音楽との同期表示システムの起動後に、音楽毎に実行可能なプログラムがスタートボタンで表示されるので、利用者は画面のスタートボタンを押すのみで音楽の選曲とプログラムを選択して実行することができる。また、スタートボタンの表示で実行できないプログラムが確認できるのでそれをもとにファイルの作成状況を把握することができる。
【００２１】
音楽と同期して歌詞に代える文章ともう一つの文章を同じ画面に表示できるので、音楽に合わせて行う運動競技などにおいて、クラシックなどの音楽で演技項目毎にパートの表示時間データを作成して、項目毎にその表示時間内に行う演技内容などを表示することができる。
【００２２】
文章入力ボタンにボタン番号などが表示されないので、文章を読む感覚で違和感なくボタン入力することができる。また、１行１データのテキスト形式のファイルであれば参照ファイルにできるので、受信メールの文章や印象に残る言葉、相手の好む話題を集めた文章など様々な文章をボタン操作で簡単に入力できる。
【００２３】
メールファイル作成プログラムでは、参照用の歌詞表示及び参照ファイルの文章表示を表示あるいは非表示に切り替えできるので、例えば、文献の整理などでは歌詞を非表示にして、複数のファイルの文章を範囲指定しての複写でなくボタン入力で行うことができる。
【発明を実施するための最良の形態】
【００２４】
図１は、音楽との同期歌詞表示システムのスタートシステムである。
音楽との同期歌詞表示システムの起動により、音楽フォルダの音楽ファイルを検索して登録された音楽ファイル名を音楽・プログラム選択リスト（メニュー画面）に表示し、歌詞ファイルを作成する第１プログラムは音楽ファイルがあれば実行可能なので、すべてスタートボタン表示してプログラムを実行可能にする。
【００２５】
次に、登録された音楽について、歌詞フォルダに歌詞ファイルが保存されているかどうかを照合データ「音楽ファイル名.txt」で照合してファイルがある場合に第２プログラムをスタートボタンで表示できるように図４の内部データを作成する。同様に時間ファイルについても照合データ「音楽ファイル名-tme.txt」で照合して内部データを作成する。
【００２６】
メニュー画面は、音楽ファイルと実行するプログラムを行列形式で表示して、次ページボタンと前ページボタンで更新できるようにし、表示されたページについて、内部データでページ毎に音楽ファイル名とスタートボタンを表示して入力できるようにする。スタートボタンで入力されると、スタートボタンの行とページに対応する内部データのデータ番号の音楽ファイル名データを取得するとともに、スタートボタンの列に表示されたプログラムを指定して実行する。
【００２７】
図２は、音楽との同期文章表示システムのスタートシステムである。
スタートシステムの仕組みは同期歌詞表示システムと同様で、実行に用いるファイルについて、各々のファイルの照合データにより指定のフォルダで照合して、ファイル毎に内部データを作成する。
【００２８】
図３は、音楽との同期歌詞表示システム及び同期文章表示システムの構成である。
各システムは、各々第１プログラムから第３プログラムまでと、第４プログラムから第６プログラムまでのプログラムで、左列のファイルを読み込んでプログラムを実行し、データを入力するプログラムでは右列のファイルを保存する。入力ファイルが保存されるフォルダのうち、音楽フォルダ、歌詞フォルダ及び時間フォルダは両システムで共用する。
【００２９】
なお、送信側で利用する同期歌詞及び文章表示の第５プログラムと受信側で利用する同期メール表示の第６プログラムで、メールファイルと時間ファイルを異なるフォルダから入力することで、メールで送受信されたファイルの保存でデータが上書きされないようにする。第４及び第５プログラムでは送信側の立場、第６プログラムは受信側の立場となる。
【００３０】
図４は、音楽との同期歌詞表示システム内部データの説明である。
音楽との同期歌詞表示システムを起動すると、音楽ファイルを検索して登録された音楽について、音楽毎に歌詞ファイル及び時間ファイルを各々指定フォルダで照合して、ファイルの有無についてのデータを作成する。そして、ページ毎の音楽について、入力ファイルの有無についてのデータをもとに実行可能なプログラムのデータを作成する。
【００３１】
図５は、プログラム連続実行フローである。
時間ファイル作成プログラムと同期歌詞表示プログラムを連続して行う場合の例で、同期歌詞表示システムのスタートボタンで時間ファイル作成プログラムを選択してプログラムを実行すると、データを読み込みして音楽再生と時間計測、最初のパートの歌詞表示を開始して、時間データの作成後、ファイルに保存する。続いて、同期歌詞表示を行う場合、次に実行するプログラムと音楽ファイルを指定して、連続してプログラムを実行する。
【００３２】
図６は、同期歌詞及び文章表示プログラム画面表示である。
画面の上段には文章、下段には歌詞を対比して音楽と同期して表示する。二つの利用方法があり、一方は文章と歌詞を対比するもので歌詞と文章の内容の確認に利用する。
【００３３】
他方は歌詞に相当する文章とそれを説明する文章というように、２つの文章を表示する。音楽に合わせて行う運動競技等で、演技項目等の項目毎に音楽パートを設定して時間データを作成して、パート毎の表示時間内に行う演技内容を表示する形で利用する。
【００３４】
図７は、歌詞ファイル作成プログラムでのリピートボタン入力の説明である。
電子機器の画面でパート毎の歌詞を入力する場合に、画面に２つのテキストフィールド、前奏・間奏ボタンと複数のリピートボタンを配置して、４種類のボタン等で文章を入力する。テキストフィールドの１つは入力した文章を書き込みデータとするのみの利用、いま１つは入力した文章を書き込みデータにした上で、文章データを記憶領域に保存するとともにリピートボタンに文章を表示して、リピート箇所で入力できるようにする。
【００３５】
前奏・間奏ボタンはいずれかのテキストフィールドでの入力前が前奏のパート、入力後は間奏のパートとして入力されるように設定して、各々前奏１、前奏２…、間奏１、間奏２…と入力順にパート設定する。なお、入力の方法は異なるものの、入力順に文章を画面に表示するとともに入力順によりデータの書き込みを行う。
【００３６】
図８は、同期歌詞表示プログラムでの時間表示の説明である。
メールなどの文章表示の際にパート毎の表示時間を平準化するため、音楽との同期歌詞表示プログラムでパート平均表示時間を表示するとともに、パート表示時間、累計時間、平均との比率を各パートの歌詞に隣接して表示する。なお、平均表示時間は、前奏や間奏などの表示時間の長いパートを除いて算出する。
【００３７】
図９は、メールファイル作成プログラムでのデータ統合及び参照文章表示である。
図は参照ファイルが３つの場合の例で、ファイル毎にデータを読み込み、その際に、２番目以降に表示されるファイルの最初のデータがページの先頭行の文章入力ボタンに表示されるように、各ファイルの末尾に行調整データを挿入して、データ数が文章入力ボタン数の倍数になるように調整した上で統合して一連のデータにする。
【００３８】
そして、次ページボタンと前ページボタン、参照ファイルボタンでページを更新して、文章入力ボタンのページと配置順をもとにデータを検索して参照ファイルの文章を入力する。参照文章入力説明図のように、３ページの「ボタン３」に入力された場合、統合データの３ページの上から３番目のデータ番号「１９」のデータを検索して、対応する「文章データ２０３」を選択して書き込み用データとする。
【００３９】
図１０は、メールファイル作成プログラムでの文章入力画面である。
電子機器の画面を中央の文章入力部の左右に歌詞表示部と参照表示部を３つに分けて表示する。文章入力部は、画面制御部、入力対象パート、テキストフィールドでの入力部、入力文章表示部と音楽再生ボタン、保存ボタンで構成し、歌詞表示部は、表示パート数分のパートの歌詞を表示し、画面制御部の歌詞表示部ボタンで非表示と表示を切り替える。
【００４０】
参照表示部は、画面制御部の参照表示部ボタンで表示と非表示を切り替え、最初は非表示の状態で当該ボタンを入力するとファイル選択部の参照ファイルボタンが表示される。当該ボタンの入力により、参照ファイルを統合して作成した統合データをページ毎に更新して文章入力ボタンの各ボタンに表示する。
【００４１】
文章入力ボタンにはボタン番号を表示せず、ボタンに表示された文章部分の入力により文章を入力する。テキストフィールドでの入力と同様に入力した文章を歌詞表示部の歌詞に隣接して表示し、入力順に書き込み用のデータとする。また、一時保存ボタンを配置し、一時保存したファイルを参照用ファイルとして利用する。
【００４２】
図は、８パート単位で歌詞を更新して表示し、パート歌詞に対応する文章を入力する場合の例で、最初に歌詞表示部にパート１からパート８までの歌詞と入力対象パートと入力するテキストフィールドが表示される。参照ファイルボタン１〜３のいずれかの入力により、ファイルの先頭データから８番目のデータまでが文章入力ボタンに表示される。入力対象パートのパート５に対応する文章を入力する。
【００４３】
入力した文章は、入力文章表示部に各パートの歌詞に隣接してパート毎に順次表示される。パート３は、文章入力ボタンの上から２番目のボタンで「FGHIJK」という文章を入力したことを示している。また、入力順に各パートの歌詞に対応する文章を書き込み、図の入力データ書き込み順の場合、パート１、パート２がテキストフィールド、パート３が文章入力ボタン、パート４、パート５がテキストフィールドで入力されたデータである。
【産業上の利用可能性】
【００４４】
音楽産業、音楽教材、携帯電話などで産業上の利用可能性がある。
【図面の簡単な説明】
【００４５】
【図１】図１は、音楽との同期歌詞表示システムのスタートシステムである。
【図２】図２は、音楽との同期文章表示システムのスタートシステムである。
【図３】図３は、音楽との同期歌詞表示システム及び同期文章表示システムの構成である。
【図４】図４は、音楽との同期歌詞表示システム内部データの説明である。
【図５】図５は、プログラム連続実行フローである。
【図６】図６は、同期歌詞及び文章表示プログラム画面表示である。
【図７】図７は、歌詞ファイル作成プログラムでのリピートボタン入力の説明である。
【図８】図８は、同期歌詞表示プログラムでの時間表示の説明である。
【図９】図９は、メールファイル作成プログラムでのデータ統合及び参照文章表示である。
【図１０】図１０は、メールファイル作成プログラムでの文章入力画面である。
【図１】
2014211504.tif 000003
【図２】
2014211504.tif 000004
【図３】
2014211504.tif 000005
【図４】
2014211504.tif 000006
【図５】
2014211504.tif 000007
【図６】
2014211504.tif 000008
【図７】
2014211504.tif 000009
【図８】
2014211504.tif 000010
【図９】
2014211504.tif 000011
【図１０】
2014211504.tif 000012